(57)【要約】      （修正有）【解決手段】本発明は、撮影支持設備の分野に関し、特に自撮り装置に関する。自撮り装置は、伸縮棒２と、伸縮棒２を収納するための三脚スタンドハンドル１と、上挟持部４と、上挟持部４と対応して配置される下挟持部５と、上挟持部４と下挟持部５とを接続する挟持アーム６と、リモコン７と、を備え、挟持アーム６が回動自在に伸縮棒２の先端に接続され、リモコン７は、脱着可能に上挟持部４と下挟持部５との間に取り付けられている。【効果】リモコン７を、ハンドルの側面の代わりに、脱着可能に上挟持部４と下挟持部５との間に取り付けることによって、自撮り装置の径方向の寸法を小さくしたので、自撮り装置のすっきり感を大幅に向上させ、使い勝手がよく、携帯に便利となる。【選択図】図１
2020112774.tif 000002
【特許請求の範囲】
【請求項１】
伸縮棒と、伸縮棒を収納するための三脚スタンドハンドルと、上挟持部と、前記上挟持部と対応して配置される下挟持部と、前記上挟持部と前記下挟持部とを接続する挟持アームと、リモコンと、を備え、前記挟持アームが回動自在に前記伸縮棒の先端に接続されている自撮り装置であって、
前記リモコンは、脱着可能に前記上挟持部と前記下挟持部との間に取り付けられていることを特徴とする自撮り装置。
【請求項２】
前記リモコンの外形は、前記三脚スタンドハンドルの外形に対応し、前記上挟持部、前記挟持アーム、前記リモコン及び前記三脚スタンドハンドルにより、完全な柱状の外形が形成されることを特徴とする請求項１に記載の自撮り装置。
【請求項３】
前記自撮り装置は、さらに、前記リモコンを前記三脚スタンドハンドルに吸着させるための磁気吸着ユニットを備えていることを特徴とする請求項１に記載の自撮り装置。
【請求項４】
前記磁気吸着ユニットは、前記リモコンに設けられる第１磁気吸着部品と、前記三脚スタンドハンドルに設けられ、前記第１磁気吸着部品と対応する第２磁気吸着部品と、を有することを特徴とする請求項３に記載の自撮り装置。
【請求項５】
前記上挟持部及び前記下挟持部には、それぞれ、第１滑り防止溝及び第２滑り防止溝が対称に設けられ、前記リモコンが前記第１滑り防止溝と前記第２滑り防止溝との間に係止されていることを特徴とする請求項１に記載の自撮り装置。
【請求項６】
前記リモコンの両端には、それぞれ、第１滑り防止溝と第２滑り防止溝に対応する第１凹槽と第２凹槽が設けられていることを特徴とする請求項４に記載の自撮り装置。
【請求項７】
前記リモコンには、前記三脚スタンドハンドルの側面に対応する取付面が形成されていることを特徴とする請求項３に記載の自撮り装置。
【請求項８】
前記自撮り装置は、さらに、前記挟持アームと前記伸縮棒とを接続するジョイントを備え、
前記ジョイントは、回動自在に前記伸縮棒の先端に接続されるベースと、前記ベースの一側に設けられる接続アームとを有し、
前記挟持アームが回動自在に前記接続アーム上に配置されている
ことを特徴とする請求項１に記載の自撮り装置。
【請求項９】
前記挟持アームには、スライド溝が開設され、前記スライド溝に、スライドブロックが摺動自在に配置され、前記スライドブロックが前記接続アームと回動自在に接続されていることを特徴とする請求項８に記載の自撮り装置。
【請求項１０】
前記三脚スタンドハンドルは、３つの支持脚と、取付リングとを有し、前記３つの支持脚が、回動自在に前記取付リングに設けられ、前記取付リングが前記伸縮棒に摺動して外挿されていることを特徴とする請求項１に記載の自撮り装置。
【発明の詳細な説明】
【技術分野】
【０００１】
本発明は、撮影支持設備の分野に関し、特に自撮り装置に関する。
【背景技術】
【０００２】
科学技術の進歩に伴い、スマートフォンは、日常生活においてよく使われるものとなり、その画素も益々高くなっている。しかしながら、スマートフォンでの撮影に制限があり、手持ちで撮影する場合、手持ちの距離により撮影の範囲が制限されるので、自撮り装置は、既に幅広く使用される撮影用具となっている。
【０００３】
従来、市販の三脚スタンド自撮り装置は、主にリモコンのリモート制御によって自撮りを行い、リモコンが通常ハンドルの側面に取り付けられるので、自撮り装置の体積が大きくなり、全体の見栄えが損なわれる。このため、従来技術には、未だ改良及び発展の余地がある。
【発明の概要】
【発明が解決しようとする課題】
【０００４】
本発明は、上記の技術の欠陥を鑑みてなされたものであり、外観がすっきりとし、使いやすい自撮り装置を提供することを目的とする。
【課題を解決するための手段】
【０００５】
本発明の技術案は、以下の構成を有する。
本発明に係る自撮り装置は、伸縮棒と、伸縮棒を収納するための三脚スタンドハンドルと、上挟持部と、上挟持部と対応して配置される下挟持部と、上挟持部と下挟持部とを接続する挟持アームと、リモコンと、を備え、挟持アームが回動自在に伸縮棒の先端に接続され、リモコンは、脱着可能に上挟持部と下挟持部との間に取り付けられている。
【０００６】
本発明の好ましい技術案において、リモコンの外形は、三脚スタンドハンドルの外形に対応し、上挟持部、挟持アーム、リモコン及び三脚スタンドハンドルにより、完全な柱状の外形が形成される。
【０００７】
本発明の好ましい技術案において、自撮り装置は、さらに、リモコンを三脚スタンドハンドルに吸着させるための磁気吸着ユニットを備えている。
【０００８】
本発明の好ましい技術案において、磁気吸着ユニットは、リモコンに設けられる第１磁気吸着部品と、三脚スタンドハンドルに設けられ第１磁気吸着部品と対応する第２磁気吸着部品と、を有する。
【０００９】
本発明の好ましい技術案において、上挟持部及び下挟持部には、それぞれ、第１滑り防止溝及び第２滑り防止溝が対称に設けられ、リモコンが第１滑り防止溝と第２滑り防止溝との間に係止されている。
【００１０】
本発明の好ましい技術案において、リモコンの両端には、それぞれ、第１滑り防止溝と第２滑り防止溝に対応する第１凹槽と第２凹槽が設けられている。
【００１１】
本発明の好ましい技術案において、リモコンには、三脚スタンドハンドルの側面に対応する取付面が形成されている。
【００１２】
本発明の好ましい技術案において、自撮り装置は、さらに、挟持アームと伸縮棒とを接続するジョイントを備え、ジョイントは、回動自在に伸縮棒の先端に接続されるベースと、ベースの一側に設けられる接続アームとを有し、挟持アームが回動自在に接続アーム上に配置されている。
【００１３】
本発明の好ましい技術案において、挟持アームには、スライド溝が開設され、スライド溝に、スライドブロックが摺動自在に配置され、スライドブロックが接続アームと回動自在に接続されている。
【００１４】
本発明の好ましい技術案において、三脚スタンドハンドルは、３つの支持脚と、取付リングとを有し、３つの支持脚が、回動自在に取付リングに設けられ、取付リングが伸縮棒に摺動して外挿されている。
【発明の効果】
【００１５】
本発明は、以下の有益な効果を有する。
リモコンを、ハンドルの側面の代わりに、脱着可能に上挟持部と下挟持部との間に取り付けることによって、自撮り装置の径方向の寸法を小さくしたので、自撮り装置のすっきり感を大幅に向上させ、使い勝手がよく、携帯に便利となる。
【図面の簡単な説明】
【００１６】
【図１】本発明の実施例による自撮り装置の分解状態の構成模式図である。
【図２】本発明の実施例による自撮り装置の収納状態の構成模式図である。
【図３】本発明の実施例による自撮り装置の手持ち状態の構成模式図である。
【図４】図３の部分拡大模式図である。
【図５】本発明の実施例によるリモコンの構成模式図である。
【図６】本発明の実施例によるリモコンの別方向から見た構成模式図である。
【図７】本発明の実施例による自撮り装置が三脚スタンド支持状態になったときの縦方向挟持状態の構成模式図である。
【図８】本発明の実施例による自撮り装置が三脚スタンド支持状態になったときの横方向挟持状態の構成模式図である。
【発明を実施するための形態】
【００１７】
本発明は、自撮り装置を提供する。本発明の目的、技術案及び効果をより明確、明瞭にするため、以下、図面及び実施例を参照しながら本発明を詳しく説明する。ここで説明した具体的な実施例は、本発明を解釈するためのものに過ぎず、本発明を限定するためのものではないと理解すべきである。
【００１８】
図１乃至図８に示すように、本発明の実施例は、自撮り装置を提供する。該自撮り装置は、伸縮棒２と、伸縮棒を収納するための三脚スタンドハンドル１と、上挟持部４と、上挟持部４と対応して配置される下挟持部５と、上挟持部４と下挟持部５とを接続する挟持アーム６と、リモコン７と、を備え、挟持アーム６が回動自在に伸縮棒２の先端に接続され、リモコン７が脱着可能に上挟持部４と下挟持部５との間に取り付けられている。リモコン７を、ハンドルの側面の代わりに、脱着可能に上挟持部４と下挟持部５との間に取り付けることによって、自撮り装置の径方向の寸法を小さくしたので、自撮り装置のすっきり感を大幅に向上させ、使い勝手がよく、携帯に便利となる。また、リモコン７を上挟持部４と下挟持部５との間に取り付けることによって、収納及び携帯する際に、リモコン７に対する摩耗が有効に低減されるので、リモコン７の使用寿命が長くなる。
【００１９】
さらに、図１、図２、図７、図８に示すように、リモコン７の外形は、三脚スタンドハンドル１の外形に対応し、上挟持部４、挟持アーム６、リモコン７及び三脚スタンドハンドル１により、完全な柱状の外形が形成される。本実施例では、自撮り装置を収納及び携帯する際に、下挟持部５が三脚スタンドハンドル１内に収納され、取付リング１２の上端がリモコン７の基端と接合され、三脚スタンドハンドル１、リモコン７、挟持アーム６及び上挟持部４の外形が互いに対応し、規則的な柱状の自撮り装置が形成されるので、携帯に便利で、見栄えがよく、利用者の体験を向上させるものとなる。
【００２０】
また、図３に示すように、自撮り装置は、さらに、リモコンを三脚スタンドハンドルに吸着させる磁気吸着ユニットを備えている。磁気吸着ユニットは、リモコンに設けられる第１磁気吸着部品と、三脚スタンドハンドルに設けられ、第１磁気吸着部品と対応する第２磁気吸着部品と、を有する。第１磁気吸着部品及び第２磁気吸着部品は、磁石及び磁石と吸着し合う吸着板であってもよい。磁石と吸着板との一方が三脚スタンドハンドル１の側面に取り付けられ、他方がリモコン７に取り付けられ、磁石と吸着板との吸着により、リモコン７が三脚スタンドハンドル１の側面に取り付けられる。リモコン７は、三脚スタンドハンドル１の側面に取り付けられることによって、利用者が自撮り装置を使って手持ちで自撮りしたいときに使用できるようになるので、自撮りの利便性が向上する。本実施例において、吸着板は、磁石板でもよいし、磁石と吸着し合う鉄板等でもよい。
【００２１】
さらに、図３、図４に示すように、上挟持部４と下挟持部５には、それぞれ、第１滑り防止溝４１と第２滑り防止溝（図示せず）が対称に設けられている。第１滑り防止溝４１と第２滑り防止溝を設けることによって、上挟持部４と下挟持部５とで撮影装置を挟持するときの安定性を向上させることができるので、撮影装置の緩みによる落下や破壊を有効に防ぐことができる。
【００２２】
さらに、図１、図２、図３、図４に示すように、リモコン７は、第１滑り防止溝４１と第２滑り防止溝との間に係止されている。リモコン７を第１滑り防止溝４１と第２滑り防止溝との間に係止することによって、リモコン７の脱着の利便性を向上させるとともに、リモコン７を係止する際の安定性も確保でき、リモコン７の緩み及び落下を防ぐことができる。
【００２３】
さらに、図１、図３、図４、図５、図６に示すように、リモコン７の両端には、それぞれ、第１滑り防止溝４１と第２滑り防止溝に対応する第１凹槽７１と第２凹槽７２が設けられている。第１滑り防止溝４１と第２滑り防止溝に対応する第１凹槽７１と第２凹槽７２を設けることによって、係止する際の安定性をより高く向上させ、利用者の体験をさらに向上させた。
【００２４】
さらに、図３、図６に示すように、リモコン７には、三脚スタンドハンドル１の側面に対応する取付面７３が形成されている。取付面７３を三脚スタンドハンドル１の側面と対応するように設けることによって、リモコン７を三脚スタンドハンドル１に合体させることができ、リモコン７と三脚スタンドハンドル１との間の距離を短くすることができるので、磁気吸着力を向上させ、つまり、リモコン７が三脚スタンドハンドル１の側面に取り付けられる際の安定性を向上させた。
【００２５】
さらに、図３、図４、図７、図８に示すように、自撮り装置は、さらに挟持アーム６と伸縮棒２とを接続するジョイント３を備え、ジョイント３が、伸縮棒２の先端に回動自在に接続されるベース３１と、ベース３１の一側に設けられる接続アーム３２と、を有し、挟持アーム６が接続アーム３２上に回動自在に配置されている。挟持アーム６を回動自在に接続アーム３２上に配置することによって、撮影装置を横方向又は縦方向に回転して撮影することができるので、利用者の数多くの撮影要求を満足することができる。
【００２６】
さらに、図３、図４に示すように、挟持アーム６には、スライド溝６２が形成され、スライド溝６２に、スライドブロック６１が摺動自在に配置され、スライドブロック６１が接続アーム３２と回動自在に接続されている。スライドブロック６１を回動自在に接続アーム３２に設けることによって、撮影装置を挟持する自撮り装置の横方向の撮影角度の調整が便利になる。されに、スライドブロック６１を摺動自在にスライド溝６２に設けることによって、挟持装置自身の収納に便利となり、自撮り装置の体積が小さくなるので、携帯及び使用にも便利となる。本実施例では、スライドブロック６１が括れ形のスライドブロックであり、スライドブロック６１が括れ形に形成されることによって、撮影角度を調整する際に、スライドブロック６１が挟持アーム６とともに回転できるので、自撮り装置の使用安定性を向上させた。
【００２７】
さらに、図７、図８に示すように、三脚スタンドハンドル１は、３つの支持脚１１と、取付リング１２とを有し、３つの支持脚１１が回動自在に取付リング１２に設けられ、取付リング１２が伸縮棒２に摺動して外挿されている。３つの支持脚１１を回動自在に取付リング１２に取り付けることによって、三脚スタンドモードで自撮りしたいときには、３つの支持脚１１を開いて使用すればよく、収納、携帯又は手持ちで自撮りしたいときには、３つの支持脚１１を伸縮棒に近づくように回動することで、収納又は手持ちで使用できるので、便利である。
【００２８】
本発明の適用は、上記の実施例に限らず、当業者が、上記説明をもとに改良又は変換を行うことができ、これらの改良及び変換は、いずれも本発明の特許請求の範囲に属する。
【図１】
2020112774.tif 000003
【図２】
2020112774.tif 000004
【図３】
2020112774.tif 000005
【図４】
2020112774.tif 000006
【図５】
2020112774.tif 000007
【図６】
2020112774.tif 000008
【図７】
2020112774.tif 000009
【図８】
2020112774.tif 000010